(57)【要約】【課題】供給側リールと巻取り側リールとの制動トルクのバランスを取れるようにして、巻取り動作中の減速時に磁気テープに傷が入らないようにすることが可能な磁気テープ記録再生装置を提供する。【解決手段】巻取り操作が行われ、キャプスタンモータを駆動させることによって供給側リールを回転させ、巻取り動作が実行される。そして、磁気テープの走行位置が検出され、検出された走行位置が減速ポイントに達したと判定されたときに、キャプスタンモータに逆起動電流が所定時間内に所定回数流される。これにより、キャプスタンモータの回転数が低下する。この後、磁気テープのリーダが検出されたときに、ブレーキ機構が駆動されると共に、キャプスタンモータに再度逆起動電流が所定時間流される。これにより、磁気テープの走行は完全に停止することになる。【選択図】図４
2007257788.tif 000002
【特許請求の範囲】
【請求項１】
磁気テープを走行させるためのキャプスタンと、前記磁気テープを卷回するリールと、前記キャプスタンおよびリールを回転駆動させるためのキャプスタンモータと、ローディングモータの駆動により前記リールに対して制動を加えるブレーキ機構と、前記リールの供給側リールと巻取り側リールとの回転周期に基づいて前記磁気テープの走行位置を検出する走行位置検出手段と、前記磁気テープのリーダを検出するテープ端検出手段と、少なくとも、前記キャプスタンモータ、前記ローディングモータ、前記走行位置検出手段、および前記テープ端検出手段を制御するシステムコントローラとを含み構成された磁気テープ記録再生装置において、
前記キャプスタンモータにより直接的に前記リールを回転させて前記磁気テープの巻取りを行う巻取り動作中に、前記走行位置検出手段により検出された走行位置が予め定めた減速ポイントに達したか否かを判定する減速ポイント判定手段と、
前記走行位置が予め定めた減速ポイントに達したと判定されたときに、前記キャプスタンモータに逆起動電流を所定時間内に所定回数流すように制御を行う第１の制御手段と、
前記キャプスタンモータに逆起動電流を所定時間内に所定回数流した後、前記テープ端検出手段により前記磁気テープのリーダが検出されたときに、前記ブレーキ機構を駆動させると共に前記キャプスタンモータに再度逆起動電流を所定時間流すように制御を行う第２の制御手段と、を前記システムコントローラに設けたことを特徴とする磁気テープ記録再生装置。
【請求項２】
磁気テープを走行させるためのキャプスタンと、前記磁気テープを卷回するリールと、前記キャプスタンおよびリールを回転駆動させるためのキャプスタンモータと、ローディングモータの駆動により前記リールに対して制動を加えるブレーキ機構と、前記リールの供給側リールと巻取り側リールとの回転周期に基づいて前記磁気テープの走行位置を検出する走行位置検出手段と、前記磁気テープのリーダを検出するテープ端検出手段と、少なくとも、前記キャプスタンモータ、前記ローディングモータ、前記走行位置検出手段、および前記テープ端検出手段を制御するシステムコントローラとを含み構成された磁気テープ記録再生装置において、
前記システムコントローラは、前記キャプスタンモータにより直接的に前記リールを回転させて前記磁気テープの巻取りを行う巻取り動作中に、前記走行位置検出手段により検出された走行位置が予め定めた減速ポイントに達したと判定したときに、前記キャプスタンモータに逆起動電流を所定時間内に所定回数流すように制御を行い、前記キャプスタンモータに逆起動電流を所定時間内に所定回数流した後、前記テープ端検出手段により前記磁気テープのリーダが検出されたときに、前記ブレーキ機構を駆動させると共に前記キャプスタンモータに再度逆起動電流を所定時間流すように制御を行うことを特徴とする磁気テープ記録再生装置。
【請求項３】
前記システムコントローラは、前記キャプスタンモータにより直接的に前記リールを回転させて前記磁気テープの巻取りを行う巻取り動作中に、前記走行位置検出手段により検出された走行位置が予め定めた減速ポイントに達したか否かを判定する減速ポイント判定手段と、前記走行位置が予め定めた減速ポイントに達したと判定されたときに、前記キャプスタンモータに逆起動電流を所定時間内に所定回数流すように制御を行う第１の制御手段と、前記キャプスタンモータに逆起動電流を所定時間内に所定回数流した後、前記テープ端検出手段により前記磁気テープのリーダが検出されたときに、前記ブレーキ機構を駆動させると共に前記キャプスタンモータに再度逆起動電流を所定時間流すように制御を行う第２の制御手段とを有することを特徴とする請求項２に記載の磁気テープ記録再生装置。
【発明の詳細な説明】
【技術分野】
【０００１】
本発明は、磁気テープに対して情報の記録／再生を行う磁気テープ記録再生装置に関し、特に、磁気テープの巻取り動作における減速制御に関する。
【背景技術】
【０００２】
従来から、磁気テープを収納したテープカセットを記録媒体として用い、情報の記録／再生を行うビデオテープレコーダやオーディオＰＣＭテープレコーダなどの名称で知られる磁気テープ記録再生装置が普及している。この種の磁気テープ記録再生装置は、テープカセットから引き出された磁気テープを卷回させるテープ案内ドラムに磁気テープと摺接する回転磁気ヘッドを取り付けた回転磁気ヘッド装置を備え、テープ案内ドラムに卷回されて走行される磁気テープと回転磁気ヘッドとの相対摺接を図ることによって、磁気テープに対する情報の記録／再生が行われる。
【０００３】
また、この種の磁気テープ記録再生装置は、テープカセットに収納された磁気テープをテープカセットから引き出し、装置本体内の所定のテープ走行路に延在させ、更にテープ案内ドラムに卷回させるローディングを行うテープローディング機構が設けられている。このテープローディング機構は、テープカセット装着位置と回転磁気ヘッド装置との間に亘って移動する移動ガイドブロックを備える。この移動ガイドブロックは、ガイドローラを備え、このガイドローラに磁気テープを引っ掛けてテープカセットから引き出し、テープ案内ドラムに卷回させ、テープ走行路に自動的にローディングさせる。テープ案内ドラムに卷回された磁気テープは、キャプスタンモータによって回転駆動されるキャプスタン軸とピンチローラに挟持されて定速走行される。
【０００４】
ところで、このような磁気テープ記録再生装置では、情報の記録／再生を行う記録／再生操作モードのときには、ピンチローラをキャプスタンに圧着し、ピンチローラとキャプスタンとによって、磁気テープを挟持して定速走行させ、磁気テープを早送り操作する早送り操作モードの時には、ピンチローラをキャプスタンから離間させると共に、磁気テープの供給側となる供給側リールを回転自由な状態となし、巻取り側リールをキャプスタンモータにより直接的に高速回転させ、磁気テープを高速走行させることによって巻取り側リールに巻き取る。また、巻取り側リールに巻き取られた磁気テープを供給側リールに巻き戻す磁気テープの巻戻し操作モードのときには、ピンチローラをキャプスタンから離間させると共に、巻取り側リールを回転自由な状態となし、供給側リールをキャプスタンモータにより直接的に高速回転させ、磁気テープを高速走行させることによって供給側リールに巻き取る。
【特許文献１】特開平１０−２７５３７９号公報
【特許文献２】特開２０００−１５６００２号公報
【特許文献３】特開２００２−２１６４０４号公報
【発明の開示】
【発明が解決しようとする課題】
【０００５】
ところで、上記のような構成を有する従来の磁気テープ記録再生装置では、磁気テープの早送り動作や巻戻し動作は、磁気テープの走行速度を磁気テープの端付近までは高速で走行させ、終端付近でリールに対してブレーキをかけて、磁気テープの終端で停止させている。しかしながら、終端付近でリールに対してブレーキをかけるが、このブレーキの手段としては、ブレーキ機構による機械的なブレーキと、キャプスタンモータへの逆起動電流の印加による電気的なブレーキとがあり、従来の磁気テープ記録再生装置では、磁気テープの終端付近で、ブレーキ機構によるブレーキと、キャプスタンモータへの逆起動電流によるブレーキとを同時に行っているので、急激な減速になってしまい、磁気テープの磁気面に傷が付いたり、テープ自体が両方向より異常な力で引っ張られるために傷が付いたりすることがある。
【０００６】
即ち、磁気テープの早送り動作中や巻戻し動作中の減速時には、ブレーキ機構による機械的なブレーキと、キャプスタンモータへの逆起動電流の印加による電気的なブレーキとが同時に実行されるが、供給側リールと巻取り側リールとの制動トルクのバランスが取れていないときがあるので、このときに磁気テープが強く引っ張られて磁気面に傷が付いたり、テープ自体が両方向より異常な力で引っ張られるために傷が付いたりすることがある。
【０００７】
図５は磁気テープ記録再生装置のプレイ状態を説明するための構成図である。図６は磁気テープ記録再生装置の早送り／巻戻し状態を説明するための構成図である。図７は磁気テープ記録再生装置の早送り状態において減速動作を説明するための構成図である。図８は磁気テープ記録再生装置の巻戻し状態において減速動作を説明するための構成図である。図９は磁気テープ記録再生装置の巻戻し動作中の減速時に磁気テープに傷などが入る理由を説明するための構成図である。なお、図５〜図９において、同一の構成要素には同一の符号を付している。
【０００８】
図５〜図９において、磁気テープ３３を供給する供給側リール３１および磁気テープ３３を巻き取る巻取り側リール３２は図示しないテープカセット内に設けられているものとして説明する。先ず、磁気テープ記録再生装置が再生や記録を行うプレイ状態では、図５に示すように、供給側リール３１に卷回されている磁気テープ３３は、ガイドポール３４を介してテープカセット外に引き出され、更にガイドポール３５およびテンションレバー４８のガイドポール３６を介すると共に消去ヘッド３７を介してテープ引出し部材３８に導かれ、シリンダ（回転磁気ヘッド）３９の外周の略半分に卷回される。
【０００９】
シリンダ３９からの磁気テープ３３の巻取り側もテープ引出し部材４０によって磁気テープ３３がシリンダ３９の外周の略半分に卷回されるように引き出されており、更に音声コントロールヘッド４１およびガイドポール４２を介してテープカセット内に挿入配置されるキャプスタン４３とガイドポール４４を介してテープカセット内に入り、ガイドポール４４を経て巻取り側リール３２に至るようにテープパスが構成される。ピンチローラ４５は、プレイ動作時には図示しない駆動機構によってキャプスタン４３に接触して押圧する方向になるようにキャプスタン４３に圧着され、キャプスタン４３は、キャプスタンモータ４７により一定の回転速度で回転し、磁気テープ３３を一定の走行速度で走行させる。また、プレイ動作時には、キャプスタンモータ４７の回転が、図示しない駆動力伝達機構、クラッチギヤ５０および伝達ギヤ５１，５２を介して巻取り側リール３２に伝達される。巻取り側リール３２の回転数は、クラッチギヤ５０のスリップ機構の作動により磁気テープ３３の巻き量によって変化する。
【００１０】
次に、磁気テープ記録再生装置の早送り／巻戻し状態では、図示しない駆動機構によって、図６に示すように、テンションレバー４８を図６から見て支軸４８ａを中心に所定角度だけ右方向に回動させる。これにより、テンションレバー４８のガイドポール３６は磁気テープ３３から離れ、また、ピンチローラ４５は、キャプスタン４３から離れるようにピンチレバー４６を、支軸４６ａを中心にして図６から見て所定角度だけ右方向に回動させ、キャプスタン４３から離す。
【００１１】
早送り状態においては、巻取り側リール３２には、キャプスタンモータ４７からの回転が、図示しない駆動力伝達機構、スリップ機構を利かせずに普通の伝達ギヤとして作動するクラッチギヤ５０および伝達ギヤ５１，５２を介して伝えられ、磁気テープ３３の早送りが実行される。一方、巻戻し状態においては、供給側リール３１には、キャプスタンモータ４７からの回転が、図示しない駆動力伝達機構、スリップ機構を利かせずに普通の伝達ギヤとして作動するクラッチギヤ５０を介して伝えられ、磁気テープ３３の巻き戻しが実行される。
【００１２】
そして、早送り状態において減速を行う場合には、図示しないブレーキ駆動機構によって図７に示すように供給側リール３１に対しては、ブレーキ機構４９による機械的ブレーキを作動させ、巻取り側リール３２に対しては、ブレーキ機構５３による機械的ブレーキを作動させると共に、キャプスタンモータ４７に逆起動電流を流すことにより発生する電気的ブレーキを作動させる。なお、早送り動作では、キャプスタンモータ４７の回転が、図示しない駆動力伝達機構、クラッチギヤ５０（スリップ機構が作動していない状態）と伝達ギヤ５１，５１を介して巻取り側リール３２に伝達される。
【００１３】
一方、巻戻し状態において減速を行う場合には、図示しないブレーキ駆動機構によって図８に示すように巻取り側リール３２に対しては、ブレーキ機構５３による機械的ブレーキを作動させ、供給側リール３１に対しては、ブレーキ機構４９による機械的ブレーキを作動させると共に、キャプスタンモータ４７に逆起動電流を流すことにより発生する電気的ブレーキを作動させる。なお、巻戻し動作では、キャプスタンモータ４７の回転が、図示しない駆動力伝達機構、クラッチギヤ５０（スリップ機構が作動していない状態）を介して供給側リール３１に伝達される。
【００１４】
さて、前述したように従来の磁気テープ記録再生装置における問題点である早送り動作中や巻戻し動作中の減速時に磁気テープに傷などが入る理由について図９を参照して説明する。
【００１５】
従来の磁気テープ記録再生装置では、早送り動作中や巻戻し動作中の減速時には、前述したようにブレーキ機構４９，５３による機械的ブレーキと、キャプスタンモータ４７への逆起動電流の印加による電気的ブレーキとを同時に実行させるため、次のような問題点が生じる。ここでは、巻戻しにおける巻取り動作について説明するが、早送りにおける巻取り動作についても同様な問題点が生じることは言うまでもない。
【００１６】
この従来の磁気テープ記録再生装置において、供給側リール３１を前述したようにキャプスタンモータ４７により回転させ、供給側リール３１への巻取り動作中に磁気テープ３３の巻き始め付近を走行位置検出手段（図示せず）により検出すると、ローディングモータ（図示せず）の駆動によりブレーキ機構４９およびブレーキ機構５３を作動させると同時にキャプスタンモータ４７に逆起動電流を印加させることによって、磁気テープ３３の走行を減速させるが、その際に、巻取り側リール３２側のブレーキ機構５３の作動により、磁気テープ３３が図９に示すようにテープ進行方向とは反対方向へ引っ張られ、テープ進行方向へは供給側リール３１にキャプスタンモータ４７が直結された状態と同じであるので、供給側リール３１の回転を減速させるための制動トルクは、キャプスタンモータ４７の回転の慣性力も加わり大きくなるが、巻取り側リール３２側は小さくなって、両者のバランスが取れなくなる。この結果、走行している磁気テープ３３は、シリンダ３９の入口部付近で両方向に引っ張られ、磁気テープ３３が競り上がった場合にダメージ（傷など）が入ることがあるという問題点が生じる。
【００１７】
なお、特許文献１の従来技術では、供給側リールと巻取り側リールの回転を検出する回転検出手段と、この検出結果に基づいてキャプスタンモータを制御する制御手段などを備え、制御手段は、磁気テープの走行機構によって磁気テープの走行速度を減速するときに、キャプスタンモータが逆回転するように制御信号を回転検出手段からの検出信号の周期が所定の周期になるまでの期間だけ供給するようにしているが、巻取り動作中の減速時に、前述したような機械的ブレーキと電気的ブレーキを同時にかける構成のものではなく、また、巻取り動作中の減速時に、磁気テープに弛みが生じないようにしたものである。
【００１８】
特許文献２の従来技術では、巻取り側リールを駆動してテープを高速で巻取り、テープが所定位置まで走行したことを判別したら、所定速度で減速させてからテープ端で走行停止させるようにしている。そして、前記減速するタイミングはカセットの種類に応じて変えるようにしている。しかしながら、この従来技術は、巻取り動作中の減速時に、前述したような機械的ブレーキと電気的ブレーキを同時にかける構成のものではない。
【００１９】
特許文献３の従来技術では、高速巻戻し時、ビデオテープ（磁気テープ）のリーダに近くない時点で停止操作が行われると、ソフトブレーキ（電気的ブレーキ）を作動させてリール台を緩やかに制動を加え、リーダに近いことが検出されると、リール台を通常の早送り／巻戻し時の回転速度まで減速させ、リーダに達したことが検出されると、ハードブレーキ（機械的ブレーキ）を作動させてリール台に急制動を加えさせるように構成されているが、この急制動はハードブレーキ（機械的ブレーキ）によるものだけであるので、ソフトブレーキとハードブレーキを同時にかける構成のものに比べ、制動精度が劣り、また、この従来技術は、巻取り動作中の減速時に、前述したような機械的ブレーキと電気的ブレーキを同時にかける構成のものではない。
【００２０】
本発明は、上記のような課題を解決するためになされたもので、機械的ブレーキと電気的ブレーキを同時にかける構成において、供給側リールと巻取り側リールとの制動トルクのバランスを取れるようにして、巻取り動作中の減速時に磁気テープに傷が入らないようにすることが可能な磁気テープ記録再生装置を提供することを目的とする。
【課題を解決するための手段】
【００２１】
上記目的を達成するために、請求項１の発明は、磁気テープを走行させるためのキャプスタンと、前記磁気テープを卷回するリールと、前記キャプスタンおよびリールを回転駆動させるためのキャプスタンモータと、ローディングモータの駆動により前記リールに対して制動を加えるブレーキ機構と、前記リールの供給側リールと巻取り側リールとの回転周期に基づいて前記磁気テープの走行位置を検出する走行位置検出手段と、前記磁気テープのリーダを検出するテープ端検出手段と、少なくとも、前記キャプスタンモータ、前記ローディングモータ、前記走行位置検出手段、および前記テープ端検出手段を制御するシステムコントローラとを含み構成された磁気テープ記録再生装置において、前記キャプスタンモータにより直接的に前記リールを回転させて前記磁気テープの巻取りを行う巻取り動作中に、前記走行位置検出手段により検出された走行位置が予め定めた減速ポイントに達したか否かを判定する減速ポイント判定手段と、前記走行位置が予め定めた減速ポイントに達したと判定されたときに、前記キャプスタンモータに逆起動電流を所定時間内に所定回数流すように制御を行う第１の制御手段と、前記キャプスタンモータに逆起動電流を所定時間内に所定回数流した後、前記テープ端検出手段により前記磁気テープのリーダが検出されたときに、前記ブレーキ機構を駆動させると共に前記キャプスタンモータに再度逆起動電流を所定時間流すように制御を行う第２の制御手段とを前記システムコントローラに設けたことを特徴とする磁気テープ記録再生装置を提供する。
【００２２】
この構成において、例えば、高速巻戻しに対する巻取り操作が行われると、キャプスタンモータを駆動させることによって供給側リールを回転させ、巻取り動作を実行する。そして、システムコントローラは、走行位置検出手段により磁気テープの走行位置を検出する。システムコントローラの減速ポイント判定手段は、前記検出された走行位置が予め定めた減速ポイントに達したか否かを判定する。磁気テープの走行位置が減速ポイントに達したと判定されたときに、システムコントローラは電気的ブレーキの実行指示を第１の制御手段に対して行い、これにより、第１の制御手段は、キャプスタンモータに逆起動電流を所定時間内に所定回数流す制御を行う。これにより、キャプスタンモータの回転数が低下する。
【００２３】
このようにしてキャプスタンモータに逆起動電流を所定時間内に所定回数流した後、テープ端検出手段により、磁気テープのリーダが検出されたときに、システムコントローラは、機械的ブレーキと電気的ブレーキの同時実行指示を第２の制御手段に対して行う。これにより、第２の制御手段は、ブレーキ機構を駆動させると共にキャプスタンモータに再度逆起動電流を所定時間流す制御を行う。これにより、磁気テープの走行は完全に停止することになる。
【００２４】
この構成によれば、磁気テープのリーダを検出したときにブレーキ機構による機械的ブレーキとキャプスタンモータへの逆起動電流の印加による電気的ブレーキとを同時に実行する前に、磁気テープの走行位置が予め定めた減速ポイントに達すると、キャプスタンモータに逆起動電流を所定時間内に所定回数流すようにしたので、磁気テープのリーダに達した時に前記機械的ブレーキと前記電気的ブレーキとを同時に作動させても、磁気テープのリーダに達した時点では、キャプスタンモータの回転の慣性力が低下しており、これにより、供給側リールと巻取り側リールとの制動トルクのバランスが取れて、この結果、走行している磁気テープは、シリンダの入口部付近で引っ張られることがなく、また競り上がるようなことがなくなり、したがって、ダメージ（傷など）を防止することができる。要するに、機械的ブレーキと電気的ブレーキとを磁気テープのリーダで同時に実行する前に、キャプスタンモータの回転数を低下させるようにしたので、機械的ブレーキと電気的ブレーキとを同時に実行させる時点では、磁気テープに対する負荷（引っ張り強度など）が激減し、これにより、特に薄手の磁気テープに対しては効果を発揮できる。
【００２５】
請求項２の発明は、磁気テープを走行させるためのキャプスタンと、前記磁気テープを卷回するリールと、前記キャプスタンおよびリールを回転駆動させるためのキャプスタンモータと、ローディングモータの駆動により前記リールに対して制動を加えるブレーキ機構と、前記リールの供給側リールと巻取り側リールとの回転周期に基づいて前記磁気テープの走行位置を検出する走行位置検出手段と、前記磁気テープのリーダを検出するテープ端検出手段と、少なくとも、前記キャプスタンモータ、前記ローディングモータ、前記走行位置検出手段、および前記テープ端検出手段を制御するシステムコントローラとを含み構成された磁気テープ記録再生装置において、前記システムコントローラは、前記キャプスタンモータにより直接的に前記リールを回転させて前記磁気テープの巻取りを行う巻取り動作中に、前記走行位置検出手段により検出された走行位置が予め定めた減速ポイントに達したと判定したときに、前記キャプスタンモータに逆起動電流を所定時間内に所定回数流すように制御を行い、前記キャプスタンモータに逆起動電流を所定時間内に所定回数流した後、前記テープ端検出手段により前記磁気テープのリーダが検出されたときに、前記ブレーキ機構を駆動させると共に前記キャプスタンモータに再度逆起動電流を所定時間流すように制御を行うことを特徴とする磁気テープ記録再生装置を提供する。
【００２６】
この構成において、キャプスタンモータにより直接的にリールを回転させて磁気テープの巻取りを行う巻取り動作中に、走行位置検出手段により検出された走行位置が予め定めた減速ポイントに達したと判定されたときに、キャプスタンモータに逆起動電流が所定時間内に所定回数流される。キャプスタンモータに逆起動電流が所定時間内に所定回数流された後、テープ端検出手段により磁気テープのリーダが検出されたときに、ブレーキ機構が駆動されると共に、キャプスタンモータに再度逆起動電流が所定時間流される。
【００２７】
この構成によれば、磁気テープのリーダを検出したときにブレーキ機構による機械的ブレーキとキャプスタンモータへの逆起動電流の印加による電気的ブレーキとを同時に実行する前に、磁気テープの走行位置が予め定めた減速ポイントに達すると、キャプスタンモータに逆起動電流を所定時間内に所定回数流すようにしたので、磁気テープのリーダに達した時に前記機械的ブレーキと前記電気的ブレーキとを同時に作動させても、磁気テープのリーダに達した時点では、キャプスタンモータの回転の慣性力が低下しており、これにより、供給側リールと巻取り側リールとの制動トルクのバランスが取れて、この結果、走行している磁気テープは、シリンダの入口部付近で引っ張られることがなく、また競り上がるようなことがなくなり、したがって、ダメージ（傷など）を防止することができる。要するに、機械的ブレーキと電気的ブレーキとを磁気テープの走行位置がリーダに来たときに同時に実行する前に、キャプスタンモータの回転数を低下させるようにしたので、機械的ブレーキと電気的ブレーキとを同時に実行させる時点では、磁気テープに対する負荷（引っ張り強度など）が激減し、これにより、特に薄手の磁気テープに対しては効果を発揮できる。
【００２８】
請求項３の発明では、請求項２の発明において、前記システムコントローラは、前記キャプスタンモータにより直接的に前記リールを回転させて前記磁気テープの巻取りを行う巻取り動作中に、前記走行位置検出手段により検出された走行位置が予め定めた減速ポイントに達したか否かを判定する減速ポイント判定手段と、前記走行位置が予め定めた減速ポイントに達したと判定されたときに、前記キャプスタンモータに逆起動電流を所定時間内に所定回数流すように制御を行う第１の制御手段と、前記キャプスタンモータに逆起動電流を所定時間内に所定回数流した後、前記テープ端検出手段により前記磁気テープのリーダが検出されたときに、前記ブレーキ機構を駆動させると共に前記キャプスタンモータに再度逆起動電流を所定時間流すように制御を行う第２の制御手段とを有する。
【００２９】
したがって、前記システムコントローラは、減速ポイント判定処理、第１の制御処理、および第２の制御処理を実現でき、これにより、機械的ブレーキと電気的ブレーキとを磁気テープの走行位置がリーダに来たときに同時に実行する前に、キャプスタンモータの回転数を低下させることが可能になる。
【発明の効果】
【００３０】
以上のように本発明によれば、キャプスタンモータにより直接的にリールを回転させて磁気テープの巻取りを行う巻取り動作中に、走行位置検出手段により検出された走行位置が予め定めた減速ポイントに達したか否かを判定する減速ポイント判定手段と、前記走行位置が予め定めた減速ポイントに達したと判定されたときに、キャプスタンモータに逆起動電流を所定時間内に所定回数流すように制御を行う第１の制御手段と、キャプスタンモータに逆起動電流を所定時間内に所定回数流した後、テープ端検出手段により磁気テープのリーダが検出されたときに、ブレーキ機構を駆動させると共にキャプスタンモータに再度逆起動電流を所定時間流すように制御を行う第２の制御手段とをシステムコントローラに設けたので、磁気テープのリーダを検出したときにブレーキ機構による機械的ブレーキとキャプスタンモータへの逆起動電流の印加による電気的ブレーキとを同時に実行する前に、磁気テープの走行位置が予め定めた減速ポイントに達すると、キャプスタンモータに逆起動電流を所定時間内に所定回数流すことができるようになり、磁気テープのリーダに達した時に前記機械的ブレーキと前記電気的ブレーキとを同時に作動させても、磁気テープのリーダに達した時点では、キャプスタンモータの回転の慣性力が低下しており、これにより、供給側リールと巻取り側リールとの制動トルクのバランスが取れて、この結果、走行している磁気テープは、シリンダの入口部付近で引っ張られることがなく、また競り上がるようなことがなくなり、したがって、ダメージ（傷など）を防止することができる。要するに、機械的ブレーキと電気的ブレーキとを磁気テープの走行位置がリーダに来たときに同時に実行する前に、キャプスタンモータの回転数を低下させるようにしたので、機械的ブレーキと電気的ブレーキとを同時に実行させる時点では、磁気テープに対する負荷（引っ張り強度など）が激減し、これにより、特に薄手の磁気テープに対しては効果を発揮できる。
【００３１】
また、本発明によれば、システムコントローラは、キャプスタンモータにより直接的にリールを回転させて前記磁気テープの巻取りを行う巻取り動作中に、走行位置検出手段により検出された走行位置が予め定めた減速ポイントに達したと判定したときに、キャプスタンモータに逆起動電流を所定時間内に所定回数流すように制御を行い、キャプスタンモータに逆起動電流を所定時間内に所定回数流した後、テープ端検出手段により磁気テープのリーダが検出されたときに、ブレーキ機構を駆動させると共にキャプスタンモータに再度逆起動電流を所定時間流すように制御を行うようにしたので、磁気テープのリーダを検出したときにブレーキ機構による機械的ブレーキとキャプスタンモータへの逆起動電流の印加による電気的ブレーキとを同時に実行する前に、磁気テープの走行位置が予め定めた減速ポイントに達すると、キャプスタンモータに逆起動電流を所定時間内に所定回数流すことができるようになり、磁気テープのリーダに達した時に前記機械的ブレーキと前記電気的ブレーキとを同時に作動させても、磁気テープのリーダに達した時点では、キャプスタンモータの回転の慣性力が低下しており、これにより、供給側リールと巻取り側リールとの制動トルクのバランスが取れて、この結果、走行している磁気テープは、シリンダの入口部付近で引っ張られることがなく、また競り上がるようなことがなくなり、したがって、ダメージ（傷など）を防止することができる。要するに、機械的ブレーキと電気的ブレーキとを磁気テープの走行位置がリーダに来たときに同時に実行する前に、キャプスタンモータの回転数を低下させるようにしたので、機械的ブレーキと電気的ブレーキとを同時に実行させる時点では、磁気テープに対する負荷（引っ張り強度など）が激減し、これにより、特に薄手の磁気テープに対しては効果を発揮できる。
【発明を実施するための最良の形態】
【００３２】
以下、添付図面を参照しつつ、本発明の実施の形態について説明する。図１は本発明の一実施形態に係る磁気テープ記録再生装置の構成を示すブロック図である。
【００３３】
図１において、この磁気テープ記録再生装置は、アンテナ１に接続されたチューナ２、映像音声処理回路３、デッキ機構４、システムコントローラ５、および操作部６から構成されている。チューナ２は、ユーザが操作して操作部６により指示されたチャンネル番号信号に応答してシステムコントローラ５から与えられたチャンネル選択信号に基づいて選局したテレビ放送信号を受信して中間周波映像音声信号を出力する。映像音声処理回路３は、チューナ２からの中間周波映像音声信号を所定処理して映像信号および音声信号を生成すると共に、磁気テープ（ビデオテープ）の再生時にデッキ機構４からの読み出し信号に基づき映像信号および音声信号を生成し出力端子７から出力する。また、映像音声処理回路３には、シリンダ（回転磁気ヘッド）３９が接続されており、このシリンダ３９は、映像音声処理回路３から出力される制御信号に基づいて、所定速度で回転しつつ磁気テープに対して映像音声信号の書き込み／読み出しを行う。
【００３４】
デッキ機構４は、シリンダ３９、キャプスタン４３、キャプスタンモータ４７、供給側リール３１、巻取り側リール３２、ローディングモータ４４、ローディング機構６３、ブレーキ機構４９，５３、回転同期センサ６１、およびテープ端センサ６２を備えている。シリンダ３９、キャプスタン４３、キャプスタンモータ４７、供給側リール３１、巻取り側リール３２、およびブレーキ機構４９，５３については、図５〜図９で説明したので、ここでは説明を省略する。
【００３５】
ローディングモータ４４には、図示しないギヤ機構やカム機構などを介してローディング機構６３とブレーキ機構４９，５３とが連動可能に配置されており、システムコントローラ５から出力される制御信号に基づいて、ローディングモータ４４が駆動すると、互いに異なるタイミングでローディング機構６３とブレーキ機構４９，５３とが駆動される。即ち、ローディング機構６３は、カセット挿入口から磁気テープの駆動走行が可能な所定位置までテープカセットをローディングさせ、カセット挿入口までテープカセットをアンローディングさせる。また、ブレーキ機構４９，５３は、供給側リール３１および巻取り側リール３２に対して制動を加えることにより、回転駆動される供給側リール３１および巻取り側リール３２を停止させる。
【００３６】
システムコントローラ５には、走行位置検出手段を含む回転周期センサ６１とテープ端検出手段としてのテープ端センサ６２も接続されており、回転周期センサ６１は、キャプスタン４３と供給側リール３１および巻取り側リール３２とにより走行される磁気テープの走行位置および走行速度を検出し、テープ端センサ６２は、磁気テープのリーダを検出する。
【００３７】
システムコントローラ５は、本実施形態の特徴とする構成要素として、キャプスタンモータ４７により直接的に供給側リール３１または巻取り側リール３２を回転させて磁気テープの巻取りを行う巻取り動作中に（図６参照）、回転同期センサ６１により検出された走行位置が予め定めた減速ポイントに達したか否かを判定する減速ポイント判定手段５０１と、前記走行位置が予め定めた減速ポイントに達したと判定されたときに、キャプスタンモータ４７に逆起動電流を所定時間内に所定回数流すように制御を行う第１の制御手段５０２と、キャプスタンモータ４７に逆起動電流を所定時間内に所定回数流した後、回転同期センサ６１により磁気テープのリーダが検出されたときに、ブレーキ機構４９，５３を駆動させると共にキャプスタンモータ４７に再度逆起動電流を所定時間流すように制御を行う第２の制御手段５０３とを有する。
【００３８】
図２は図１中の回転同期センサ６１の動作原理を説明するための供給側リール３１または巻取り側リール３２の底面構造を示す斜視図である。図２において、２０は供給側リール３１または巻取り側リール３２を示すリールを示し、このリール２０の底面には、略扇形の反射板２２が周辺方向に等間隔に４枚配置される。また、各反射板２２の下方には、フォトトランジスタ２３と発光ダイオード２４とから構成される回転周期センサ６１が配置される。発光ダイオード２４の発光面は、反射板２２方向に向けられており、フォトトランジスタ２３は反射板２２からの反射光を検出する。この結果、リール２０が１回転する毎にフォトトランジスタ２３から４個のパルス信号が出力される。
【００３９】
フォトトランジスタ２３から出力されるパルス信号がシステムコントローラ５に入力されると、システムコントローラ５は、供給側リール３１と巻取り側リール３２の回転周期をそれそれ検出して回転周期比を算出する。例えば、巻戻し動作を開始すると、供給側リール３１に巻き取られる磁気テープのテープ量が増加していき、回転周期比は徐々に上昇していく。したがって、システムコントローラ５の減速ポイント判定手段５０１は、回転周期比が所定値になったか否かを判定することにより、磁気テープの走行位置が、リーダに近づいているか否か、即ち減速ポイントに達したか否かが判定可能になる。
【００４０】
図３は図１中のテープ端センサ６２の配置状態を示す概略図である。図３において、テープ端センサ６２には、リール３１，３２の間に配置されたセンサＬＥＤ６２と、各リール３１．３２の側のテープ経路を介してセンサＬＥＤ６２と対抗するように配置されたフォトセンサ６３，６４が備えられている。磁気テープ３３のテープ端には、透明なリーダが設けられており、リーダがセンサＬＥＤ６２とフォトセンサ６３，６４間に位置すると、センサＬＥＤ６２から照射された光がリーダを透過してフォトセンサ６３，６４に達し、テープ端センサ６２がオンになる。これにより、システムコントローラ５は、テープ端センサ６２がオンになったことを検出して磁気テープ３３の走行位置がリーダに達したものと判定する。
【００４１】
図４は本実施形態において特徴とする制動制御を説明するためのフローチャートである。このフローチャートを参照して制動制御について説明する。
【００４２】
ユーザが操作部６により例えば高速巻戻し（ＲＥＷ）操作を行うと、システムコントローラ５は、高速巻戻し（ＲＥＷ）操作に対する巻取り操作がされたことを検知し（ステップＳ１）、キャプスタンモータ４７を駆動させることによって供給側リール３１を回転させ、巻取り動作を実行する（ステップＳ２）。この巻取り動作については、図６において説明している。そして、システムコントローラ５は、回転周期センサ６１により供給側リール３１および巻取り側リール３２の回転周期を算出し、この回転周期に基づいて磁気テープ３３の走行位置を検出する（ステップＳ３）。この回転周期センサ６１の動作については図２において説明している。
【００４３】
このようにして磁気テープ３３の走行位置を検出している間に、システムコントローラ５は、磁気テープ３３の走行位置が磁気テープ３３のリーダに近いか否かを判定する。即ち、システムコントローラ５の減速ポイント判定手段５０１は、回転同期センサ６１により検出された走行位置が予め定めた減速ポイント（磁気テープ３３のリーダ付近）に達したか否かを判定する（ステップＳ４）。減速ポイントに達したか否かの判定は、回転同期センサ６１により検出された供給側リール３１の回転周期と巻取り側リール３２の回転周期との比が所定値になったか否かを判定することにより可能である。例えば、供給側リール３１への巻戻しを行うと、供給側リール３１に巻き取られる磁気テープ３３の量が増加していき、回転周期比は上昇していくので、回転同期センサ６１により検出された供給側リール３１の回転周期と巻取り側リール３２の回転周期との比が１を超えて所定値に達すれば、その点が減速ポイントになるので、その時点で、次に述べる電気的ブレーキを実行すれば良い。
【００４４】
磁気テープ３３の走行位置が減速ポイントに達したと判定されたときに、システムコントローラ５は電気的ブレーキの実行指示を第１の制御手段５０２に対して行い（ステップＳ５）、これにより、第１の制御手段５０２は、キャプスタンモータ４７に逆起動電流（例えば２００ｍ秒の逆起動電流）を所定時間内（例えば３秒間）に所定回数（例えば３回）流す制御を行う（ステップＳ６）。これにより、キャプスタンモータ４７の回転数が低下する。
【００４５】
このようにしてキャプスタンモータ４７に逆起動電流を所定時間内に所定回数流した後、回転同期センサ６１により磁気テープ３３のリーダが検出されたときに（ステップＳ７）、システムコントローラ５は、機械的ブレーキと電気的ブレーキの同時実行指示を第２の制御手段５０３に対して行う（ステップＳ８）。これにより、第２の制御手段５０３は、ブレーキ機構４９，５３を駆動させると共にキャプスタンモータ４７に再度逆起動電流を所定時間（例えば２秒程度）流す制御を行う（ステップＳ９）。これにより、磁気テープ３３の走行は完全に停止することになる。なお、ブレーキ機構４９，５３の駆動とは、ローディングモータ４４を駆動させ、これによりブレーキ４９，５３を作動させることである。
【００４６】
以上説明したように本実施形態によれば、ブレーキ機構４９，５３による機械的ブレーキとキャプスタンモータ４７への逆起動電流の印加による電気的ブレーキとを磁気テープ３３の走行位置がリーダに来た同時に実行する前に、磁気テープの走行位置が予め定めた減速ポイントに達すると、キャプスタンモータ４７に逆起動電流を所定時間内に所定回数流すようにしたので、磁気テープのリーダに達した時に機械的ブレーキと電気的ブレーキとを同時に作動させても、磁気テープのリーダに達した時点では、キャプスタンモータ４７の回転の慣性力が低下しており、これにより、供給側リール３１と巻取り側リール３２との制動トルクのバランスが取れて、この結果、走行している磁気テープ３３は、シリンダ３９の入口部付近で引っ張られることがなく、また競り上がるようなことがなくなり、したがって、ダメージ（傷など）を防止することができる。要するに、機械的ブレーキと電気的ブレーキとを磁気テープ３３の走行位置がリーダに来たときに同時に実行する前に、キャプスタンモータ４７の回転数を低下させるようにしたので、機械的ブレーキと電気的ブレーキとを同時に実行させる時点では、磁気テープ３３に対する負荷（引っ張り強度など）が激減し、これにより、特に薄手の磁気テープに対しては効果を発揮できる。
【産業上の利用可能性】
【００４７】
本発明は、巻取り動作における磁気テープの走行を機械的ブレーキと電気的ブレーキにより停止させる構成を有するビデオテープレコーダ（ＶＴＲ）やビデオカセットレコーダ（ＶＣＲ）などの磁気テープ記録再生装置に利用可能である。
【図面の簡単な説明】
【００４８】
【図１】本発明の一実施形態に係る磁気テープ記録再生装置の構成を示すブロック図である。
【図２】図１中の回転同期センサの動作原理を説明するための供給側リールまたは巻取り側リールの底面構造を示す斜視図である。
【図３】図１中のテープ端センサの配置状態を示す概略図である。
【図４】前記実施形態において特徴とする制動制御を説明するためのフローチャートである。
【図５】磁気テープ記録再生装置のプレイ状態を説明するための構成図である。
【図６】磁気テープ記録再生装置の早送り／巻戻し状態を説明するための構成図である。
【図７】磁気テープ記録再生装置の早送り状態において減速動作を説明するための構成図である。
【図８】磁気テープ記録再生装置の巻戻し状態において減速動作を説明するための構成図である。
【図９】磁気テープ記録再生装置の巻戻し動作中の減速時に磁気テープに傷などが入る理由を説明するための構成図である。
【符号の説明】
【００４９】
５    システムコントローラ
３１    供給側リール
３２    巻取り側リール
３３    磁気テープ
４３    キャプスタン
４４    ローディングモータ
４７    キャプスタンモータ
４９，５３    ブレーキ機構
６１    回転同期センサ（走行位置検出手段を含む）
６２    テープ端センサ
５０１    減速ポイント判定手段
５０２    第１の制御手段
５０３    第２の制御手段
【図１】
2007257788.tif 000003
【図２】
2007257788.tif 000004
【図３】
2007257788.tif 000005
【図４】
2007257788.tif 000006
【図５】
2007257788.tif 000007
【図６】
2007257788.tif 000008
【図７】
2007257788.tif 000009
【図８】
2007257788.tif 000010
【図９】
2007257788.tif 000011